(57)【要約】      （修正有）【課題】一般的な電動ドリルに接続することができ、手作業での穿孔による欠点をなくし、これにより管体への穿孔の効率を高めると同時に、穿孔にて生じた切り屑を吸着できる、管体への穿孔に応用される穿孔装置を提供する。【解決手段】固定手段１１０と、主軸１２０とを備えた穿孔装置１００を開示する。前記固定手段には、管体２３０に設けられるサドル付分水栓２２０を取り付けることができ、前記主軸は固定手段に取り付けられ、穿孔機２１０に取り付けられる第１の端部１２１と、ドリルタップに取り付けられる第２の端部１２２と、を備えている。【選択図】図１
0003148866.tif 000002
【実用新案登録請求の範囲】
【請求項１】
穿孔装置であって、
管体に設けられるサドル付分水栓を取り付けることができる固定手段と、
穿孔機に取り付けられる第１の端部と、ドリルタップに取り付けられる第２の端部とを備え、固定手段に取り付けられている主軸と、を具備したことを特徴とする穿孔装置。
【請求項２】
前記管体が水道水の本管である、ことを特徴とする請求項１に記載の穿孔装置。
【請求項３】
前記ドリルタップが、穿孔で生じた切り屑を吸着するための磁性手段を備えた、ことを特徴とする請求項１に記載の穿孔装置。
【請求項４】
前記第１の端部の外形が、前記穿孔機の三爪のチャックに取り付けるため円柱状である、ことを特徴とする請求項１に記載の穿孔装置。
【請求項５】
前記第２の端部がねじ切りタップ穴を有するとともに、前記ドリルタップは、前記ドリルタップを前記第２の端部に取り付けるためにねじ切りタップ穴に固定されているスタッドボルトを備えた、ことを特徴とする請求項１に記載の穿孔装置。
【請求項６】
前記固定手段が第１の空間を備えており、前記第１の空間内には、前記管体内の液体が前記第１の空間内に浸入するのを防ぐ高粘度のグリスが充填されている、ことを特徴とする請求項１に記載の穿孔装置。
【請求項７】
前記固定手段が第２の空間を更に備えており、穿孔を行うとき、前記液体が前記管体から前記第２の空間に流れ込む、ことを特徴とする請求項６に記載の穿孔装置。
【請求項８】
前記固定手段が、前記第１の空間に設けられている二つの軸受を備えており、前記主軸が前記二つの軸受を貫通している、ことを特徴とする請求項６に記載の穿孔装置。
【請求項９】
穿孔装置であって、
管体に設けられるサドル付分水栓を取り付けることができる固定手段と、
前記固定手段に設けられている穿孔機と、
穿孔機に取り付けられる第１の端部と、ドリルタップに取り付けられる第２の端部とを備え、固定手段に取り付けられている主軸と、を具備したことを特徴とする穿孔装置。
【請求項１０】
前記管体が水道水の本管である、ことを特徴とする請求項９に記載の穿孔装置。
【請求項１１】
前記ドリルタップが、穿孔で生じた切り屑を吸着するための磁性手段を備えた、ことを特徴とする請求項９に記載の穿孔装置。
【請求項１２】
前記第２の端部がねじ切りタップ穴を有するとともに、前記ドリルタップは、前記ドリルタップを前記第２の端部に取り付けるためにねじ切りタップ穴に固定されているスタッドボルトを備えた、ことを特徴とする請求項９に記載の穿孔装置。
【請求項１３】
前記固定手段が第１の空間を備えており、前記第１の空間内には、前記管体内の液体が前記第１の空間内に浸入するのを防ぐ高粘度のグリスが充填されている、ことを特徴とする請求項９に記載の穿孔装置。
【請求項１４】
前記固定手段が、第２の空間を更に備えており、穿孔を行うとき、前記液体が前記管体から前記第２の空間に流れ込む、ことを特徴とする請求項９に記載の穿孔装置。
【請求項１５】
前記固定手段が、前記第１の空間に設けられている二つの軸受を備えており、前記主軸が前記二つの軸受を貫通している、ことを特徴とする請求項１３に記載の穿孔装置。
【考案の詳細な説明】
【技術分野】
【０００１】
本考案は穿孔装置に関し、特に管体への穿孔に応用される穿孔装置に関する。
【背景技術】
【０００２】
従来の管体への穿孔技術では管体への穿孔を行うとき、例えば水道本管上での穿孔では、まずサドル付分水栓を当該水道本管に取り付けたのち、ドリルタップを前記サドル付分水栓に貫通させて、水道本管に手作業により穿孔を行うものであるが、前記従来の管体への穿孔技術には、例えば手作業で穿孔を行うと効率が低下し、穿孔にて生じる切り屑が水道本管内に残って汚してしまうといういくつかの欠点があった。
【０００３】
上記従来の管体への穿孔技術に存在する欠点に鑑み、管体への穿孔に応用される穿孔装置を提供する必要がある。当該穿孔装置は一般的な電動ドリルに接続することができ、手作業での穿孔による効率の低下を防止し、これにより管体への穿孔の効率を高めると同時に、当該穿孔装置は穿孔にて生じた切り屑を吸着できるので、汚れを防ぐことができる。
【考案の開示】
【０００４】
本考案が解決すべき課題は、一般的な電動ドリルに接続することができ、手作業での穿孔による欠点をなくし、これにより管体への穿孔の効率を高めると同時に、当該穿孔装置は穿孔にて生じた切り屑を吸着できる、管体への穿孔に応用される穿孔装置を提供することである。
【０００５】
上記課題を解決すべく、本考案では、固定手段と、主軸とを備えた穿孔装置を開示する。前記固定手段には、管体に設けられるサドル付分水栓を取り付けることができ、前記主軸は固定手段に取り付けられ、穿孔機に取り付けられる第１の端部と、ドリルタップに取り付けられる第２の端部と、を備えている。
【０００６】
本考案の実施例によれば、前記ドリルタップは、穿孔で生じた切り屑を吸着するための磁性手段を備えている。
【０００７】
本考案の効果は、本考案の穿孔装置を管体への穿孔に応用することにより、当該穿孔装置は一般的な電動ドリルに接続することができ、手作業での穿孔により効率の低下する欠点をなくし、これにより管体への穿孔の効率を高めると同時に、当該穿孔装置は穿孔にて生じた切り屑を吸着できるので、汚れを防ぐことができるというものである。
【考案を実施するための最良の形態】
【０００８】
本考案の一部の実施例を以下に詳述する。しかしながら、下記以外にも、本考案は更にその他の実施例に広く実施できるうえ、本考案の範囲は実施例により限定されるものではなく、別紙の実用新案登録請求の範囲を基準とするものである。更には、より明確な記述を提供するとともに、本考案をより理解し易くするために、図面内の各部分はその相対的な寸法で描画されることなく、一部の寸法およびその他の関連する寸法比は誇張されており、そして図面の簡素化を図るために、関連性のない仔細部分もまた完全に書き出されているわけではない。
【０００９】
図１は本考案の好ましい実施例に係る穿孔装置１００の断面概略図である。前記穿孔装置１００は、固定手段１１０と、主軸１２０とを備えている。前記固定手段１１０は、第１の管状体１１１と、第２の管状体１１２とを備えており、前記固定手段１１０には、管体２３０に設けられるサドル付分水栓２２０を取り付けることができる。前記主軸１２０は、一般的な電動ドリルとすることができる穿孔機２１０に取り付けられる第１の端部１２１と、ドリルタップ１３０に取り付けられる第２の端部１２２と、を備えている。本実施例においては、第１の端部１２１の外形は、穿孔機２１０の三爪のチャックに取り付けるため、円柱状である。第２の端部１２２はねじ切りタップ穴を有するとともに、前記ドリルタップ１３０は、前記ドリルタップ１３０を前記第２の端部１２２に取り付けるために、ねじ切りタップ穴に固定されているスタッドボルトを備えている。
【００１０】
本実施例においては、固定手段１１０は、第１の管状体１１１内に設けられている第１の空間１４０を備えており、前記第１の空間１４０内には、前記管体２３０内の液体が前記第１の空間１４０内に浸入するのを防ぐ高粘度のグリスが充填されている。第１の管状体１１１は、グリスを前記第１の空間１４０内に注入するための注入口１１８を備えている。前記第１の空間１４０内部のグリスは主軸１２０の潤滑性を提供すると同時に、主軸１２０の高速回転により過熱する事態が発生するのを防止するように放熱の効果も提供している。前記固定手段１１０は第２の空間１５０を備えており、穿孔を行うとき、前記液体が前記管体から前記第２の空間１５０に流れ込む。前記固定手段１１０は、前記第１の空間１４０に設けられている二つの軸受１１３を備えており、前記主軸１２０は前記二つの軸受１１３を貫通している。
【００１１】
本実施例によれば、ドリルタップ１３０は、穿孔で生じた切り屑を吸着するための磁性手段１３１を備えているが、これに限定されるものではなく、ドリルタップ１３０は磁性手段１３１を備えない従来のドリルタップでも良い。このうち主軸１２０に設けられているフランジ１２３によりドリルタップ１３０の深さを調節しており、ワッシャ１２４がフランジ１２３と第１の管状体１１１の端面との間に設けられることで、回転中のフランジ１２３が第１の管状体１１１の端面に接触して、大きな摩擦が生じることを防止しており、そしてワッシャ１２４を緩衝体とすることで、フランジ１２３と第１の管状体１１１の端面とが直接ぶつかるのを防止している。
【００１２】
図２は図１における穿孔装置１００で管体への穿孔を行う概略図である。本実施例においては、管体２３０は水道本管となっているが、これに限定されるものではなく、管体２３０はその他の管体であっても良い。水道本管上での穿孔作業を行う工程は以下のとおりである。まず、サドル付分水栓２２０を管体２３０に取り付ける。次に、穿孔装置１００をサドル付分水栓２２０上に固定する。続いて、穿孔機２１０を主軸１２０に取り付ける。その後、穿孔を行う。最後に、ステンレスパイプをサドル付分水栓２２０とメータとの間に取り付ける。
【００１３】
本考案の穿孔装置を管体への穿孔に応用することにより、当該穿孔装置は一般的な電動ドリルに接続することができ、手作業での穿孔により効率が低下する欠点をなくし、これにより管体への穿孔の効率を高めると同時に、当該穿孔装置は穿孔にて生じた切り屑を吸着できるので、汚れを防ぐことができる。
【００１４】
本考案の実施例は単に本考案の技術的思想および長所を説明するためのものに過ぎず、その目的は当業者が本考案の内容を理解してこれに基づき実施できるようにするためであるので、これをもって本考案の権利範囲を限定することはできず、本考案に開示する技術的思想から外れることなく完成される等価の各種変更または付加は、本考案で開示する範囲に包括されるものであり、別紙の実用新案登録請求の範囲内に含まれるものである。
【図面の簡単な説明】
【００１５】
【図１】本考案の好ましい実施例に係る穿孔装置の断面概略図である。
【図２】図１における穿孔装置で管体への穿孔を行う概略図である。
【符号の説明】
【００１６】
１００  穿孔装置
１１０  固定手段
１１１  第１の管状体
１１２  第２の管状体
１１３  軸受
１１８  注入口
１２０  主軸
１２１  第１の端部
１２２  第２の端部
１２３  フランジ
１２４  ワッシャ
１３０  ドリルタップ
１３１  磁性手段
１４０  第１の空間
１５０  第２の空間
２１０  穿孔機
２２０  サドル付分水栓
２３０  管体
【図１】
0003148866.tif 000003
【図２】
0003148866.tif 000004